(57)【要約】  本発明は、受信容器（１８）内の他の内容物と混合される生成物を収容するための混合容器（ｌ）に関し、混合容器は、入れ物（２）と、アダプタ（３）を有し、容器は、アダプタを介して、受信容器のネック取り付けられるよう意図されたネック（４）を有し、入れ物のネックは、任意のサイズのネックを有する任意の受信容器上で使用することができるユニバーサルネックであり、アダプタ（３）は、受信容器（１８）上の混合容器（ｌ）を開くための取外し可能な蓋（５）を含み、混合容器の生成物と、受信容器の生成物が混合される。【選択図】図３
2019519445.tif 000002
【特許請求の範囲】
【請求項１】
受信容器（１８）内の別の内容物と混合される生成物を収容するための混合容器（１）であって、
入れ物（２）と、アダプタ（３）を備え、前記入れ物（２）は、前記アダプタ（３）を介して、前記受信容器（１８）のネックに取り付けられるよう意図されたネック（４）を備え、前記入れ物（２）の前記ネック（４）は、任意のサイズのネックを含む任意の受信容器（１８）上で使用可能なユニバーサルネックであり、前記アダプタ（３）は、前記受信容器（１８）上で前記混合容器（１）を開くための取外し可能なシール（５）を備え、前記混合容器（１）の前記生成物と前記受信容器（１８）の前記生成物を混合することができる、混合容器（１）。
【請求項２】
前記アダプタ（３）は、前記入れ物（２）のためのアダプタスカート（２０）と、前記受信容器（１８）のための締付スカート（１９）とを備え、前記アダプタスカート（２０）と、前記締付スカート（１９）との間には、シール（５）が配置されている、請求項１に記載の前記容器。
【請求項３】
前記アダプタスカート（２０）は、前記入れ物（２）の前記ネック（４）に取り付けるための複数のピン（６）を有する、請求項２に記載の前記容器。
【請求項４】
ヒンジ領域に延びる引裂き線に沿って、前記シール（５）は、前記アダプタに接合される、請求項１から３のいずれか１項に記載の前記容器。
【請求項５】
混合容器（１）の入れ物（２）と、受信容器（１８）との間の中間物として作用するためのアダプタであって、前記アダプタ（３）は、アダプタスカート（２０）と、締付スカート（１９）とを備え、前記アダプタスカート（２０）は、入れ物（２）のネック（４）に固定するための手段を有し、前記締付スカート（１９）は、受信容器（１８）のネックに固定されるように意図されており、前記アダプタ（３）は、前記受信容器（１８）上の前記混合容器（１）を開くよう設計された取外し可能なシール（５）を備え、前記混合容器（１）の前記生成物と、前記受信容器（１８）の前記生成物を混合することができる、アダプタ。
【発明の詳細な説明】
【技術分野】
【０００１】
本発明は、別の容器，一般にフラスコ，缶，瓶などに含まれる別の生成物と混合されることを意図した生成物を含む容器またはカプセルに関する。
【背景技術】
【０００２】
カプセルの内容物を瓶のネックに注ぐために、現在、瓶のネックにねじ込まれる様々なカプセルが存在する。
【０００３】
文献ＵＳ２０１４／０３０５８１７Ａ１には、瓶のネックにねじ込まれるカプセルが記載されている。カプセルは、液体または粉末のための容器と、液体または粉末を含む瓶のネックにねじ込むためのネックを含む。蓋の一方の側が閉じられ、他方の側、即ち、瓶のネックの側は、シールによって閉じられ、カプセルの生成物が使用される前に、カプセルは密封されている。
【０００４】
図１に示されるように、先行技術のカプセル１３は、希釈すべき生成物が格納される容器１０から構成される。この生成物は、例えば、液体または粉末であってもよい。カプセル１３は、一方の側で密封して閉じられており、他方の側、即ち、瓶のネック側１４で、筒状のシリンダー１６によって外面１４に接続されたシール１１で密封して閉じられている。ユーザが、カプセル１３の生成物を希釈したい場合、ユーザは、例えば、ネック７が、カプセルのネック１４に適合した瓶８を選択する必要がある。瓶８は、使用に応じて、水または任意の他の液体または粉末生成物を含むことができる。
【０００５】
ユーザは、シール１１によって密封されて閉じられるカプセル１３を、瓶８のネック７にねじ込む。ネック７は、シリンダー１６で、外面１４に至る圧力を加え、ヒンジゾーンを除いて引裂き線に沿って、シール１１が取り外される。回動後、シールは、カプセル１３を開き、瓶８内に流入する内容物を放出する。
【０００６】
カプセルは、生成物の使用まで、正確な用量の生成物を気密に収容することができるという利点を有する。カプセルの中の生成物を放出するために、操作は、単に、カプセルを瓶にねじ込むことによって行われる。そのようなカプセルは便利である、何故なら所望の用量の生成物を含むようにカプセルが製造されるからである。
【０００７】
それにもかかわらず、このようなカプセルには、ある種の欠点がある。実際、カプセルにほとんど柔軟性はない。実際、カプセルのネックは、たった一種類の瓶にしか適合していない。カプセル全体が成形されるとき、型は、カプセルの容積と、瓶のネックのサイズの両方に適合する必要がある。
【０００８】
カプセルに収容される生成物のタイプに応じて、程度の差はあるが、生成物を希釈する必要がある。したがって、異なる容積の瓶に適合するネックのサイズと同様、カプセルのサイズは変化する。さらに、カプセル内へのシールの導入は、打撃によって行われ、カプセルの一部、例えば、ネックの反対側を閉じる蓋を壊す危険性がある。
【０００９】
本出願の発明は、これらの欠点を克服することを目的とする。
【発明の概要】
【００１０】
この目的のために、本出願は、まず、受信容器内の別の内容物と混合される生成物を収容するための混合容器に関し、混合容器は、容器とアダプタとを備え、容器は、アダプタを介して、受信容器のネックに取り付けられるように設計されたネックを備え、容器のネックは、任意のサイズのネックを有する任意の受信容器上で使用されるユニバーサルネックであり、アダプタは、受信容器上で混合容器を開くための取外し可能なシールを備え、混合容器の生成物と、受信容器の生成物とを混合することができる。
【００１１】
本発明のユニバーサルネックを有する混合容器は、任意の容積の生成物を収容することができ、任意のサイズのネックを有する受信容器に固定されるように設計される。実際、混合容器は、一方では、ユニバーサルネックを有する任意の容積の容器を備え、他方では、この容器を、任意のサイズのネックを有する受信容器に掛けることを可能にするアダプタを備える。
【００１２】
本発明の容器は、柔軟性が高い、何故なら、容器は、一方では、容器の容積を選択し、他方では、アダプタのネックの直径を選択し、２つの要素を組み立てて、適切な混合容器にするのに、十分であるからである。
【００１３】
さらに、完成品は、３つではなく、２つの部品で構成されている、何故なら、シールは、アダプタと同じ部品の一部であるからである。
【００１４】
有利には、本発明の容器のアダプタは、アダプタスカートと締付スカートを備え、アダプタスカートと締付スカートの間には、シールが配置されている。
【００１５】
したがって、任意の容器上のアダプタスカートを使用して、アダプタをクリップすることができ、アセンブリは、本発明の混合本容器を形成する。
【００１６】
本発明は、中間生成物として、混合容器の入れ物と受信容器の間の中間物として作用するためのアダプタに関し、アダプタは、アダプタスカートと締付スカートを備え、アダプタスカートは、ユニバーサルコンテナのネックに固定するための手段を備え、締付スカートは、受信容器のネックに固定されるよう意図されており、アダプタは、受信容器上で混合容器を開くように設計された取外し可能なシールを含み、混合容器の生成物と、受信容器の生成物を混合することができる。
【００１７】
出願人は、混合容器と中間アダプタが同じ発明概念によって紛れもなくリンクされていることを強調することを意図している。
【図面の簡単な説明】
【００１８】
本発明は、添付の図面を参照してなされた以下の詳細な説明によってよりよく理解されるであろう：
【図１】図１は、先行技術の容器を、部分的に正面から、部分断面で見た概略図である。
【図２】図２は、本発明の容器の正面図である。
【図３】図３は、図２の容器のより大きなスケールでの正面図である。
【図４】図４は、図２の容器のアダプタの前面の透視図である。
【図５】図５は、図２の容器のアダプタの背面の透視図である。
【発明を実施するための形態】
【００１９】
図２に示された本発明の混合容器１は、互いに接合された容器２およびアダプタ３から構成される。
【００２０】
図３に示されるように、容器２は、ユニバーサルネック４を有する。すなわち、容器２のサイズおよび形状がどのようなものであっても、ネック４は、１つの容器でも別の容器でも同一である。
【００２１】
図４および図５に示されるように、容器１のアダプタ３は、アダプタスカート２０と締付スカート１９を有する。
【００２２】
締付スカート１９は、任意の瓶１８のネックにねじ込まれるタップ９を備える。あるいは、締付スカート１９は、バヨネット式固定を用いて、任意の受信容器１８のネック上に固定されてもよく、それに応じて、容器のネックが適合される。アダプタスカート２０は、ピン６を用いて、アダプタ３を容器２のネック４上に固定することを可能にする。
【００２３】
アダプタ３は、容器１内に収容された生成物が使用されるまで、容器１全体が密封されて閉じられることを可能にする取外し可能なシール５を含む。シール５は、引裂き線２１に沿ってアダプタに取り付けられ、シールの移動性によって、ヒンジ領域の周りで、引裂き線が壊れた後に、シールが回転するこができる。
【００２４】
本発明の主な目的は、任意の容積の生成物を収容できる容器１を有すること、および任意のサイズのネックを有する瓶１８に固定されることである。
【００２５】
上記の目的を達成するために、容器２は、任意のタイプの生成物を収容することができる任意のサイズまたは形状の要素である。このように、容器２の容積は、状況に応じて可変である。
【００２６】
さらに、アダプタ３は、タップ９を有する締付スカート１９を利用して、アダプタが適切に任意の瓶１８のネックにねじ込まれることを可能にする任意のサイズの直径を有する。アダプタ３は、ピン６を用いて、容器２のユニバーサルネック４に固定される。これらのピン６の長さは、アダプタの直径によって異なり、これらピン６の間の距離１５は、常に同じである。これにより、ピンによって形成される内径は、容器のユニバーサルネックの外径に対応する一定の直径である。上記は、寸法が決して変化しないユニバーサルネック４をアダプタと容器の両方が有することを条件に、任意のサイズのアダプタ３が、任意のサイズの容器２にクリップされることを可能にする。
【００２７】
容器１について記載したので、容器の使用に関して以下に記載する。ユーザは、適切な容器１、すなわち、瓶１８のネックのサイズに適合された締付スカート１９を有するアダプタ３にクリップされる所望の容積の入れ物２を有する容器を選択する。シール５によって密封して、閉じられるまで、ユーザは、容器１を瓶１８のネックにねじ込む。ネックは、シール５に圧力を加え、それによって、シールは、引裂き線２１に沿って、取り外される。シール５は、容器１を開き、瓶１８に流入する容器の内容物を放出する。
【００２８】
あるいは、容器へのアダプタの取り付けは、例えば、容器のネックを圧迫する発泡性ビーズなどの上記の手段以外の手段によって行われてもよい。
【図１】
2019519445.tif 000003
【図２】
2019519445.tif 000004
【図３】
2019519445.tif 000005
【図４】
2019519445.tif 000006
【図５】
2019519445.tif 000007
【国際調査報告】
2019519445.tif 000008
2019519445.tif 000009
2019519445.tif 000010
2019519445.tif 000011
2019519445.tif 000012
2019519445.tif 000013